【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
ビデオシーケンスの符号化ピクチャを備えるコード化ビデオシーケンスを受信することと、
復号順序によると、前記コード化ビデオシーケンス中の第１のピクチャではない、前記コード化ビデオシーケンス中の各ピクチャについてのピクチャ順序カウント（ＰＯＣ）値が、前記コード化ビデオシーケンス中の前記第１のピクチャの出力時間に関して、前記ピクチャの出力時間に比例するかどうかのインジケーションを、前記コード化ビデオシーケンスによって参照されるビデオパラメータセット（ＶＰＳ）シンタックス構造中に含む、前記コード化ビデオシーケンスについてのタイミングパラメータを受信することと
を備える方法。
【請求項２】
ビデオデータを符号化する方法であって、
符号化ピクチャを備えるコード化ビデオシーケンスを生成するように、ビデオシーケンスのピクチャを符号化することと、
復号順序によると、前記コード化ビデオシーケンス中の第１のピクチャではない、前記コード化ビデオシーケンス中の各ピクチャについてのピクチャ順序カウント（ＰＯＣ）値が、前記コード化ビデオシーケンス中の前記第１のピクチャの出力時間に関して、前記ピクチャの出力時間に比例するかどうかのインジケーションを、前記コード化ビデオシーケンスによって参照されるビデオパラメータセット（ＶＰＳ）シンタックス構造中でシグナリングすることによって、前記コード化ビデオシーケンスについてのタイミングパラメータをシグナリングすることと
を備える方法。
【請求項３】
前記インジケーションは、vps_poc_proportional_to_timing_flagシンタックス要素を備える、
請求項１または２に記載の方法。
【請求項４】
前記コード化ビデオシーケンスについての前記タイミングパラメータをシグナリングすることは、
前記復号順序によると、前記コード化ビデオシーケンス中の前記第１のピクチャではない、前記コード化ビデオシーケンス中の各ピクチャについての前記ＰＯＣ値を示す前記インジケーションが、前記コード化ビデオシーケンス中の前記第１のピクチャの前記出力時間に関して、前記ピクチャの前記出力時間に比例する場合にのみ、１に等しい、ＰＯＣ値の差分に対応する、クロックティックの数を、前記ＶＰＳシンタックス構造中でそれぞれ受信することまたはシグナリングすることをさらに備える、
請求項１または２に記載の方法。
【請求項５】
前記インジケーションをそれぞれ受信することまたはシグナリングすることは、タイムスケールおよびクロックティック中のユニットの数についてのシンタックス要素が前記ＶＰＳシンタックス構造中に存在する場合にのみ、前記インジケーションをそれぞれ受信することまたはシグナリングすることを備える、
請求項１または２に記載の方法。
【請求項６】
前記コード化ビデオシーケンスについての前記タイミングパラメータをそれぞれ受信することまたはシグナリングすることは、
タイムスケールおよびクロックティック中のユニットの数についてのシンタックス要素が前記ＶＰＳシンタックス構造中に存在するかどうかのインジケーションを、前記ＶＰＳシンタックス構造中でそれぞれ受信することまたはシグナリングすることをさらに備える、
請求項１または２に記載の方法。
【請求項７】
前記タイムスケールおよびクロックティック中のユニットの前記数についてのシンタックス要素が前記ＶＰＳシンタックス構造中に存在するかどうかの、前記ＶＰＳシンタックス構造中の前記インジケーションは、vps_timing_info_present_flagシンタックス要素を備える、
請求項６に記載の方法。
【請求項８】
前記コード化ビデオシーケンスについての前記タイミングパラメータをそれぞれ受信することまたはシグナリングすることは、
前記復号順序によると、前記コード化ビデオシーケンス中の前記第１のピクチャではない、前記コード化ビデオシーケンス中の各ピクチャについての前記ＰＯＣ値が、前記コード化ビデオシーケンス中の前記第１のピクチャの前記出力時間に関して、前記ピクチャの前記出力時間に比例する場合にのみ、前記コード化ビデオシーケンスによって参照されるシーケンスパラメータセット（ＳＰＳ）シンタックス構造のビデオユーザビリティ情報（ＶＵＩ）部中で、１に等しい、ＰＯＣ値の差分に対応する、クロックティックの数をそれぞれ受信することまたはシグナリングすることをさらに備える、
請求項１または２に記載の方法。
【請求項９】
前記インジケーションは、第１のインジケーションを備え、前記コード化ビデオシーケンスについての前記タイミングパラメータをそれぞれ受信することまたはシグナリングすることは、
タイムスケールおよびクロックティック中のユニットの数についてのシンタックス要素が、前記コード化ビデオシーケンスによって参照されるシーケンスパラメータセット（ＳＰＳ）シンタックス構造のビデオユーザビリティ情報（ＶＵＩ）部中に存在する場合にのみ、前記復号順序によると、前記コード化ビデオシーケンス中の前記第１のピクチャではない、前記コード化ビデオシーケンス中の各ピクチャについての前記ＰＯＣ値が、前記コード化ビデオシーケンス中の前記第１のピクチャの前記出力時間に関して、前記ピクチャの前記出力時間に比例するかどうかの第２のインジケーションを、前記ＳＰＳシンタックス構造の前記ＶＵＩ部中でそれぞれ受信することまたはシグナリングすることをさらに備える、
請求項１または２に記載の方法。
【請求項１０】
前記第２のインジケーションは、sps_poc_proportional_to_timing_flagシンタックス要素を備える、
請求項９に記載の方法。
【請求項１１】
前記コード化ビデオシーケンスについての前記タイミングパラメータをそれぞれ受信することまたはシグナリングすることは、
前記コード化ビデオシーケンスによって参照されるシーケンスパラメータセット（ＳＰＳ）シンタックス構造のビデオユーザビリティ情報（ＶＵＩ）部中で、タイムスケールおよびクロックティック中のユニットの数についてのシンタックス要素が前記ＳＰＳシンタックス構造の前記ＶＵＩ部に存在するかどうかのインジケーションをそれぞれ受信することまたはシグナリングすることをさらに備える、
請求項１または２に記載の方法。
【請求項１２】
前記タイムスケールおよびクロックティック中のユニットの前記数についてのシンタックス要素が前記ＳＰＳシンタックス構造の前記ＶＵＩ部に存在するかどうかの、前記コード化ビデオシーケンスによって参照されるＳＰＳシンタックス構造の前記ＶＵＩ部中の前記インジケーションは、sps_timing_info_present_flagシンタックス要素を備える、
請求項１１に記載の方法。
【請求項１３】
１つまたは複数のプロセッサによって実行されると、前記１つまたは複数のプロセッサに、請求項１乃至１２のいずれか１項に記載の方法を実行させる、ビデオデータを処理するための命令を記憶する非一時的なコンピュータ可読記憶媒体。
【請求項１４】
ビデオデータを処理するためのデバイスであって、
ビデオシーケンスの符号化ピクチャを備えるコード化ビデオシーケンスを受信するための手段と、
復号順序によると、前記コード化ビデオシーケンス中の第１のピクチャではない、前記コード化ビデオシーケンス中の各ピクチャについてのピクチャ順序カウント（ＰＯＣ）値が、前記コード化ビデオシーケンス中の前記第１のピクチャの出力時間に関して、前記ピクチャの出力時間に比例するかどうかのインジケーションを、前記コード化ビデオシーケンスによって参照されるビデオパラメータセット（ＶＰＳ）シンタックス構造中に含む、前記コード化ビデオシーケンスについてのタイミングパラメータを受信するための手段と
を備える、デバイス。
【請求項１５】
ビデオデータを符号化するためのデバイスであって、
符号化ピクチャを備えるコード化ビデオシーケンスを生成するように、ビデオシーケンスのピクチャを符号化するための手段と、
復号順序によると、前記コード化ビデオシーケンス中の第１のピクチャではない、前記コード化ビデオシーケンス中の各ピクチャについてのピクチャ順序カウント（ＰＯＣ）値が、前記コード化ビデオシーケンス中の前記第１のピクチャの出力時間に関して、前記ピクチャの出力時間に比例するかどうかのインジケーションを、前記コード化ビデオシーケンスによって参照されるビデオパラメータセット（ＶＰＳ）シンタックス構造中でシグナリングすることによって、前記コード化ビデオシーケンスについてのタイミングパラメータをシグナリングするための手段と
を行うように構成される、デバイス。